(57)【要約】【課題】記録される画像の濃度ムラを低減して印字品質の低下を防止することのできるインクジェットヘッド駆動装置及びインクジェットヘッド駆動方法を提供する【解決手段】各ノズルに対応して設けられ、駆動信号によってノズルから対応する量のインクを吐出させるアクチュエータ（２１）と、各ノズルからのインク吐出量を平準化するための補正データを記憶する記憶部（２４）と、補正データに基づいて、複数の駆動信号の中から１つの駆動信号（２６）を選択する選択部（２３）と、選択された駆動信号を所定のタイミングでアクチュエータに出力する駆動部（２２）とを備え、ノズルのインク吐出量特性に対応してインクジェットヘッドのノズルを複数のグループに分類し、補正データは、分類されたノズルの複数のグループ毎に定められるインクジェットヘッド駆動装置である。【選択図】図２
2008162261.tif 000002
【特許請求の範囲】
【請求項１】
供給されたインクを吐出するノズルを複数有するインクジェットヘッドを駆動するインクジェットヘッド駆動装置であって、
前記各ノズルに対応して設けられ、駆動信号によって前記ノズルから対応する量のインクを吐出させるアクチュエータと、
前記各ノズルからのインク吐出量を平準化するための補正データを記憶する記憶部と、
前記補正データに基づいて、複数の前記駆動信号の中から１つの駆動信号を選択する選択部と、
選択された駆動信号を所定のタイミングで前記アクチュエータに出力する駆動部とを備え、
ノズルのインク吐出量特性に対応して前記インクジェットヘッドの前記ノズルを複数のグループに分類し、前記補正データは、分類された前記ノズルの複数のグループ毎に定められることを特徴とするインクジェットヘッド駆動装置。
【請求項２】
前記ノズルのインク吐出量の最大値と最小値の範囲を複数のグループに分割して各グループ毎のインク吐出量に対応する駆動信号を求め、
前記補正データは、多いインク吐出量を与えるグループには、少ないインク吐出量を生ずる駆動信号が設定され、少ないインク吐出量を与えるグループには、多いインク吐出量を生ずる駆動信号が設定されるように定められることを特徴とする請求項１に記載のインクジェットヘッド駆動装置。
【請求項３】
前記駆動信号は、電圧を可変とする信号、もしくはパルス幅を可変とする信号であることを特徴とする請求項２に記載のインクジェットヘッド駆動装置。
【請求項４】
前記インク吐出量は、記録媒体上に記録された画像を処理して求めることを特徴とする請求項２に記載のインクジェットヘッド駆動装置。
【請求項５】
前記アクチュエータが過去所定ライン連続して動作した場合は、当該アクチュエータのインク吐出量が少なくなるように対応する補正データを変更する補正データ変更部を更に備えることを特徴とする請求項２に記載のインクジェットヘッド駆動装置。
【請求項６】
前記グループの境界位置にあるアクチュエータを少なくとも１ライン印刷する毎にライン方向に変更するグループ境界位置変更部を更に備えることを特徴とする請求項２に記載のインクジェットヘッド駆動装置。
【請求項７】
前記複数のグループは、前記インク吐出量の最大値と最小値の範囲を均等に分割することを特徴とする請求項２に記載のインクジェットヘッド駆動装置。
【請求項８】
前記複数のグループは、前記インク吐出量の最大値と最小値を与える前記駆動信号の範囲を均等に分割することを特徴とする請求項２に記載のインクジェットヘッド駆動装置。
【請求項９】
供給されたインクを吐出するノズルを複数有するインクジェットヘッドを駆動するインクジェットヘッド駆動装置であって、
前記インクジェットヘッドを分割した複数のブロック毎にノズル駆動装置を備え、
前記ノズル駆動装置は、
前記各ノズルに対応して設けられ、駆動信号によって前記ノズルから対応する量のインクを吐出させるアクチュエータと、
前記各ノズルからのインク吐出量を平準化するためのブロック毎の補正データを記憶する記憶部と、
前記補正データに基づいて、複数の前記駆動信号の中から１つの駆動信号を選択する選択部と、
選択された駆動信号を所定のタイミングで前記アクチュエータに出力する駆動部とを備え、
ノズルのインク吐出量特性に対応して前記ブロック内の前記ノズルを複数のグループに分類し、前記補正データは、分類された前記ノズルの複数のグループ毎に定められること
を特徴とするインクジェットヘッド駆動装置。
【請求項１０】
前記ノズルのインク吐出量の最大値と最小値の範囲を複数のグループに分割して各グループ毎のインク吐出量と対応する駆動信号を求め、
前記補正データは、多いインク吐出量を与えるグループには、少ないインク吐出量を生ずる駆動信号が設定され、少ないインク吐出量を与えるグループには、多いインク吐出量を生ずる駆動信号が設定されるように定められることを特徴とする請求項９に記載のインクジェットヘッド駆動装置。
【請求項１１】
供給されたインクを吐出するノズルを複数有するインクジェットヘッドと、前記各ノズルに対応して設けられ、駆動信号によって前記ノズルから対応する量のインクを吐出させるアクチュエータとを備えたインクジェットヘッド駆動装置のインクジェットヘッド駆動方法であって、
ノズルのインク吐出量特性に対応して前記インクジェットヘッドの前記ノズルを複数のグループに分類し、
前記各ノズルからのインク吐出量を平準化するための補正データを前記ノズルの複数のグループ毎に定め、
前記補正データを記憶し、
前記補正データに基づいて、複数の前記駆動信号の中から１つの駆動信号を選択し、
選択された駆動信号を所定のタイミングで前記アクチュエータに出力すること
を特徴とするインクジェットヘッド駆動方法。
【請求項１２】
前記ノズルのインク吐出量の最大値と最小値の範囲を複数のグループに分割して各グループ毎のインク吐出量に対応する駆動信号を求め、
多いインク吐出量を与えるグループには、少ないインク吐出量を生ずる駆動信号が設定され、少ないインク吐出量を与えるグループには、多いインク吐出量を生ずる駆動信号が設定されるように前記補正データを定めることを特徴とする請求項１１に記載のインクジェットヘッド駆動方法。
【請求項１３】
前記駆動信号は、電圧を可変とする信号、もしくはパルス幅を可変とする信号であることを特徴とする請求項１２に記載のインクジェットヘッド駆動方法。
【請求項１４】
前記インク吐出量は、記録媒体上に記録された画像を処理して求めることを特徴とする請求項１２に記載のインクジェットヘッド駆動方法。
【請求項１５】
前記アクチュエータが過去所定ライン連続して動作した場合は、当該アクチュエータのインク吐出量が少なくなるように対応する補正データを変更することを特徴とする請求項１２に記載のインクジェットヘッド駆動方法。
【請求項１６】
前記グループの境界位置にあるアクチュエータを少なくとも１ライン印刷する毎にライン方向に変更することを特徴とする請求項１２に記載のインクジェットヘッド駆動方法。
【請求項１７】
前記複数のグループは、前記インク吐出量の最大値と最小値の範囲を均等に分割することを特徴とする請求項１２に記載のインクジェットヘッド駆動方法。
【請求項１８】
前記複数のグループは、前記インク吐出量の最大値と最小値を与える前記駆動信号の範囲を均等に分割することを特徴とする請求項１２に記載のインクジェットヘッド駆動方法。
【発明の詳細な説明】
【技術分野】
【０００１】
本発明は、インクジェットプリンタのインクジェットヘッドを制御する技術に関し、多数のノズルを備えるインクジェットヘッドにおいて、それぞれのノズルの吐出液滴量のばらつきを補正する技術に関する。
【背景技術】
【０００２】
インクジェットプリンタは、インクジェットヘッドを備えている。インクジェットヘッドは、インクタンクから供給されたインクを複数の圧力室に分配し、各圧力室に選択的に圧力を発生させ、各圧力室に通じるノズルよりインク滴を吐出するようになされている。インクジェットプリンタは、インクジェットヘッドと記録媒体を相対的に駆動し、インクジェットヘッドからインク滴を吐出して、記録媒体上に画像を記録する。
【０００３】
インクジェットヘッドは、そのインク滴の吐出方法によって、ピエゾ方式、サーマル方式、静電方式等が知られている。
【０００４】
近年、複数のノズルをライン状に設けたインクジェットヘッドを備えたプリンタが開発されている。このようなプリンタは、高速印字ができるという利点を有している。一方で、インクジェットヘッドの長尺化は、製造上、又は材料の特性の理由から、各液滴の吐出特性である液適量を均一に保つことが難しい。このため、記録される画像に濃度むらが発生して画質が劣化し易いという問題点がある。
【０００５】
上述の問題を解決するため種々の技術が提案されている。
【０００６】
複数のノズルに対応して配置されたアクチュエータ素子をそれぞれ個別に駆動するスイッチング素子を備える。アクチュエータ素子に供給する電圧波形を調整することで、アクチュエータ素子のばらつきを解消して、各ノズルについて吐出インク滴の体積を均一化する（特許文献１参照）。
【０００７】
印刷データに基づいて画像を形成するインクジェット記録装置において、インクを吐出する吐出パターンを複数の波形パターンから選択して印字する（特許文献２参照）。
【０００８】
各ノズル毎のばらつき補正の有無、複数の液滴吐出特性を複数個の群に分割したときの各群毎の平均吐出特性のばらつき補正の有無、階調印字の有無を含む印字条件を予め定める。更に、該印字条件に応じて駆動素子の各々を駆動するための駆動波形を複数個定める。そして、波形印加手段が、該印字条件に応じて駆動波形を選択して前記駆動素子に印加する。これにより、液滴ノズルの吐出特性のばらつきによる画質の低下を防止する（特許文献３参照）。
【特許文献１】特開２００３−１７０５８８号公報
【特許文献２】特開２００５−１５３３７８号公報
【特許文献３】特開２００６−１９８９０２号公報
【発明の開示】
【発明が解決しようとする課題】
【０００９】
しかしながら、特許文献１記載の技術では、ノズル毎にデータに応じて調整するためと出されるインク滴のばらつきは抑えることができる。しかし、ばらつきを調整するためには印加する電圧波形を精度良く揃えることが必要となり、それを実現する手段は高価な構成となる。  
特許文献２記載の技術では、印字データパターンに応じたばらつきの補正は考慮されるが、ノズルの補正については考慮されていない。  
特許文献３に記載の技術では、補正に用いられる駆動波形には精度が必要であるため装置が高価なものとなる。
【００１０】
本発明は、斯かる事情に鑑みてなされたものであって、記録される画像の濃度ムラを低減して印字品質の低下を防止することのできるインクジェットヘッド駆動装置及びインクジェットヘッド駆動方法を提供することを目的とする。
【課題を解決するための手段】
【００１１】
上記課題を解決するための本発明は、供給されたインクを吐出するノズルを複数有するインクジェットヘッドを駆動するインクジェットヘッド駆動装置であって、前記各ノズルに対応して設けられ、駆動信号によって前記ノズルから対応する量のインクを吐出させるアクチュエータと、前記各ノズルからのインク吐出量を平準化するための補正データを記憶する記憶部と、前記補正データに基づいて、複数の前記駆動信号の中から１つの駆動信号を選択する選択部と、選択された駆動信号を所定のタイミングで前記アクチュエータに出力する駆動部とを備え、ノズルのインク吐出量特性に対応して前記インクジェットヘッドの前記ノズルを複数のグループに分類し、前記補正データは、分類された前記ノズルの複数のグループ毎に定められるインクジェットヘッド駆動装置である。
【００１２】
また本発明は、供給されたインクを吐出するノズルを複数有するインクジェットヘッドを駆動するインクジェットヘッド駆動装置であって、前記インクジェットヘッドを分割した複数のブロック毎にノズル駆動装置を備え、前記ノズル駆動装置は、前記各ノズルに対応して設けられ、駆動信号によって前記ノズルから対応する量のインクを吐出させるアクチュエータと、前記各ノズルからのインク吐出量を平準化するためのブロック毎の補正データを記憶する記憶部と、前記補正データに基づいて、複数の前記駆動信号の中から１つの駆動信号を選択する選択部と、選択された駆動信号を所定のタイミングで前記アクチュエータに出力する駆動部とを備え、ノズルのインク吐出量特性に対応して前記ブロック内の前記ノズルを複数のグループに分類し、前記補正データは、分類された前記ノズルの複数のグループ毎に定められるインクジェットヘッド駆動装置である。
【００１３】
また本発明は、供給されたインクを吐出するノズルを複数有するインクジェットヘッドと、前記各ノズルに対応して設けられ、駆動信号によって前記ノズルから対応する量のインクを吐出させるアクチュエータとを備えたインクジェットヘッド駆動装置のインクジェットヘッド駆動方法であって、
ノズルのインク吐出量特性に対応して前記インクジェットヘッドの前記ノズルを複数のグループに分類し、
前記各ノズルからのインク吐出量を平準化するための補正データを前記ノズルの複数のグループ毎に定め、
前記補正データを記憶し、
前記補正データに基づいて、複数の前記駆動信号の中から１つの駆動信号を選択し、
選択された駆動信号を所定のタイミングで前記アクチュエータに出力するインクジェットヘッド駆動方法である。
【発明の効果】
【００１４】
本発明によれば、記録される画像の濃度ムラを低減して印字品質の低下を防止することのできるインクジェットヘッド駆動装置及びインクジェットヘッド駆動方法を得ることができる。
【発明を実施するための最良の形態】
【００１５】
〔第１の実施の形態〕
図面を参照しつつ、本発明の第１の実施の形態を説明する。
【００１６】
図１は、ラインインクジェットヘッドを備えた印刷装置を示す。
【００１７】
印刷装置は、排出部１０、インクジェットヘッド１１、印字制御部１２、インク供給系１３、搬送ベルト１４、駆動ローラ１５、帯電ローラ１７、給紙部１８及び給紙ローラ１９を備えている。
【００１８】
印字制御部１２は、インクジェットヘッド１１の印字動作を制御する。帯電ローラ１７は、搬送ベルト１４に記録媒体１６を吸着させるために、搬送ベルト１４を帯電させる。給紙ローラ１９は、給紙部１８から記録媒体１６を送り出す。
【００１９】
記録媒体１６は給紙部１８の給紙ローラ１９で取り出され、搬送ベルト１４に吸着された後、搬送ベルト１４によって搬送される。この際、あらかじめ作成した印字データがインクジェットヘッド１１に転送されている。インクジェットヘッド１１は、印字データに基づいて印字動作を制御して、記録媒体１６に画像を記録する。記録された記録媒体１６は、排出部１０に排出される。
【００２０】
図２は、印字制御部１２のインクジェットヘッド駆動回路の構成を示す図である。
【００２１】
インクジェットヘッド１１は、アクチュエータ２１を備えている。このアクチュエータ２１は、インクジェットヘッド１１のそれぞれのノズルに対応して設けられ、ノズル数Ｎと同じ個数Ｎである。このアクチュエータ２１を駆動することで、ノズルから吐出する液滴量が制御される。
【００２２】
印字制御部１２には、駆動回路２２、選択回路２３、補正データ記憶部２４が設けられている。駆動回路２２は、インクジェットヘッド１１のアクチュエータ２１を駆動する。補正データ記憶部２４は、補正データＤを各アクチュエータ分記憶する。
【００２３】
印字制御部１２の各部には、印字を制御するための種々の信号が入力される。駆動電圧２６は、選択回路２３に入力される。印刷データ２５及び印刷パルス信号２７は、駆動回路２２に入力される。
【００２４】
駆動電圧２６は、インクジェットヘッド１１のアクチュエータ２１を駆動するためのｍ種類（Ｖ１−Ｖｍ）の駆動電圧である。印刷データ２５は、インクジェットヘッド１１のアクチュエータ２１を駆動させてインクを吐出させるためのデータである。印刷パルス信号２７は、印字タイミングを調整するための信号であり、この印刷パルス信号２７に従ってインクジェットヘッド１１のアクチュエータ２１が駆動される。  
補正データ記憶部２４に記憶されているインクジェットヘッド１１のそれぞれのアクチュエータ２１に対応した補正データＤが読み出されて、選択回路２３に供給される。選択回路２３ではアクチュエータ２１それぞれの補正データＤにしたがって、駆動電圧２６のＶ１−Ｖｍの電圧の内１つの駆動電圧２６が選択される。選択された駆動電圧は、印刷パルス信号２７のタイミングでアクチュエータ２１に供給される。
【００２５】
図３は、インクジェットヘッド駆動回路の詳細の構成を示す。アクチュエータ２１，駆動回路２２、選択回路２３、補正データ記憶部２４はアクチュエータ数ｎ用意されている。図３では１つのアクチュエータについての回路部分を示している。
【００２６】
補正データ記憶部２４にはアクチュエータ２１の補正データＤが、例えば２ｂｉｔの情報で記憶されている。その２ｂｉｔの情報は補正データ記憶部２４より読み出されて選択回路２３に供給されて、デコーダに入る。補正データＤにしたがってデコーダから出力される４本の選択信号Ｓ１１−Ｓ１４の１つだけが”Ｈ”となる。
【００２７】
外部からシリアルに送信されてきた印刷データ２５は、駆動回路２２のシフトレジスタ（不図示）によって各アクチュエータ２１毎の印刷データに分解される。印刷パルス信号２７と各アクチュエータ２１毎のデータに分解された印刷データ２５とは駆動回路２２内のＡＮＤ回路を介して駆動パルスＰ１を生成する。駆動パルスＰ１と選択信号Ｓ１１−Ｓ１４とは選択回路２３のＡＮＤ回路を介してスイッチング素子と接続されている。このスイッチング素子は、選択回路２３の外部から供給される駆動電圧（Ｖ１−Ｖ４）２８のいずれか１つを選択するように接続されている。
【００２８】
この結果、補正データＤによりデコーダで選択された駆動電圧２６が駆動パルスＰ１のタイミングで駆動回路２２に供給される。供給された電圧は直接アクチュエータ２１に供給されると同時に放電回路にも供給される。このようにして、本インクジェットヘッド駆動回路によれば、補正データＤに従って、選択的に電圧を変更することができる。
【００２９】
なお、印刷パルス信号２７のパルス幅は、インクを吐出させたとき最も大きいインク液滴量が吐出されるように設定すればよい。
【００３０】
次に補正データＤの作成方法を説明する。
【００３１】
補正データＤは、インクジェットヘッド１１のアクチュエータ２１を駆動させたときのインク吐出量に対応して求める。インクの吐出量を求める方法には、記録媒体１６に単独ドットで画像を形成したときの印字ドット径、記録媒体１６とインクジェットヘッド１１を相対的に走査させて連続ドットで画像を形成したときの画像の線幅、インクジェットヘッド１１から吐出されたインク液滴の撮像・画像処理による体積計算等を用いる方法がある。以下には、ドット径に従って補正量を求める方法を例として説明する。
【００３２】
図４は、印字ドット径とアクチュエータ駆動電圧の関係を示す。駆動電圧が高くなるにしたがって吐出されるインク液滴量は大きくなり、結果として印字ドット径は大きくなる。
【００３３】
図５はヘッドのノズル位置を示している。図ではＮ個のノズルが設けられている。そのノズル位置は♯１、・・・、♯Ｎで表されている。
【００３４】
図６（Ａ）は、インクジェットヘッド１１のノズル位置に対応した印字ドット径の測定結果である。この図は、インクジェットヘッド１１の全アクチュエータ２１を駆動させ、画像を形成してドット径を測定した一例である。
【００３５】
次に、ドット径実測結果の最大値と最小値を求めそれをグループに分割する。このときの分割グループ数は、図３で説明した補正データＤが２ｂｉｔの例であるので、４分割とする例について説明する。
【００３６】
図６（Ｂ）は、図４で説明した印字ドット径とアクチュエータ駆動電圧の関係を、図６（Ａ）の横に並べて対応つけたものである。印字ドット径が最大値になる部分のアクチュエータ駆動電圧ＶＨと印字ドット径が最小値になる部分のアクチュエータ駆動電圧ＶＬを求める。（ＶＨ−ＶＬ）の電圧を４等分して、４つのグループに分割する。それぞれのグループの中心電圧を低いほうからＶ１，Ｖ２，Ｖ３，Ｖ４と設定する。
【００３７】
そして印字ドット径の測定結果に基づき、グループ化された電圧Ｖ１−Ｖ４の中からアクチュエータ駆動電圧を決定する。印字ドット径が大きいグループに属する部分はアクチュエータ駆動電圧Ｖ１、印字ドット径が小さいグループに属する部分はアクチュエータ駆動電圧Ｖ４にする。図６（Ｃ）はノズル位置とアクチュエータ駆動電圧の関係を示したものである。
【００３８】
この結果、補正データＤはアクチュエータ駆動電圧がＶ１であれば”００”Ｂ、アクチュエータ駆動電圧がＶ２であれば”０１”Ｂ、アクチュエータ駆動電圧がＶ３であれば”１０”Ｂ、アクチュエータ駆動電圧がＶ４であれば”１１”Ｂのように補正データ記憶部２４に記憶され、これにしたがってアクチュエータは駆動される。
【００３９】
なお、他の方法として、全アクチュエータ数を複数に分割し、この分割された範囲内で補正データＤを作成する方法も容易に考えられる。この方法は比較的なだらかなインク液適量のばらつきを持つインクジェットヘッド１１には対応できるが、変化が急な場合には補正精度が悪くなる。図７は、なだらかにインク液滴量がばらつく場合の補正データを示し、図８は、急激にインク液滴量がばらつく場合の補正データを示す。
【００４０】
さらに他の方法を説明する。上記説明においては、アクチュエータ駆動電圧Ｖ１−Ｖ４の分割は、印字ドット最大となる部分の電圧と印字ドット最小となる部分の電圧を４等分することで補正データＤを作成した。図９は、他の方法を説明する図である。
【００４１】
図９（Ａ）は、図６（Ａ）と同じであるため説明を省略する。次に、ドット径実測結果の最大値と最小値を求めそれをグループに分割する。このときの分割グループ数は、図３で説明した補正データＤが２ｂｉｔの例であるので、４分割とする例について説明する。
【００４２】
図９（Ｂ）は、図４で説明した印字ドット径とアクチュエータ駆動電圧の関係を、図９（Ａ）の横に並べて対応つけたものである。印字ドット径が最大値になる部分のアクチュエータ駆動電圧ＶＨと印字ドット径が最小値になる部分のアクチュエータ駆動電圧ＶＬを求める。
【００４３】
印字ドット径の最大径と最小径の範囲を４等分して４グループに分割する。そして各グループの中心電圧を低いほうからＶ１，Ｖ２，Ｖ３，Ｖ４と設定する。
【００４４】
そして印字ドット径の測定結果に基づき、グループ化された電圧Ｖ１−Ｖ４の中からアクチュエータ駆動電圧を決定する。印字ドット径が大きいグループに属する部分はアクチュエータ駆動電圧Ｖ１、印字ドット径が小さいグループに属する部分はアクチュエータ駆動電圧Ｖ４にする。図９（Ｃ）はノズル位置とアクチュエータ駆動電圧の関係を示したものである。
【００４５】
この結果、補正データＤはアクチュエータ駆動電圧がＶ１であれば”００”Ｂ、アクチュエータ駆動電圧がＶ２であれば”０１”Ｂ、アクチュエータ駆動電圧がＶ３であれば”１０”Ｂ、アクチュエータ駆動電圧がＶ４であれば”１１”Ｂのように補正データ記憶部２４に記憶され、これにしたがってアクチュエータは駆動される。
【００４６】
なお、上記の説明における分割数は図３の補正データＤが２ｂｉｔなので４分割としたが、補正データＤが３ｂｉｔであれば８分割すればよい。しかし、分割数を大きくすると補正データＤ量もそれに伴って増大するため、２ｂｉｔ、３ｂｉｔ程度が望ましい。
【００４７】
また、上記の説明において、インク液滴量のばらつきは印字ドット径を用いて補正する例を説明した。しかしこの例に限られず、各アクチュエータから吐出された連続的なインク液滴によって形成された直線の線幅を測定することで同様に行うことができる。
【００４８】
さらに、インクジェットヘッド１１から直接吐出されるインク液滴をストロボ撮影してインク液滴量体積を求め、この測定に基づいてインク液滴量のばらつきを得ても良い。
【００４９】
さらに、印刷されるドットを測定しながら補正データＤを調整することも可能である。
【００５０】
図１０は印刷結果をＣＣＤカメラで撮影して、そのドット径を測定する印刷装置を示す。ＣＣＤで読み込んだ画像は、画像処理部に供給される。画像処理部はシェーディング補正などの補正を行い、２値化する。そして、この画像処理結果に基づいて、画像処理部は各アクチュエータから吐出されるインク液滴によって形成されるドット径を測定する。その測定結果のドット径は印字制御部１２に供給される。印字制御部１２は、補正データＤを作成してアクチュエータ駆動電圧を調整する。
【００５１】
図１１（Ａ）は、インクジェットヘッド１１のノズル位置に対応した印字ドット径の測定結果を示す。
【００５２】
測定結果の曲線には、２種類のばらつきが存在する。第１のばらつきは、ラインヘッドのノズル配列方向にわたって発生している周波数成分の比較的低いばらつきである。第２のばらつきは、隣接するアクチュエータのばらつきに起因する周波数成分の比較的高いばらつきがある。
【００５３】
第２のばらつきが原因となって、アクチュエータごとに補正を行うと吐出体積のむらが逆に目立ってしまう場合がある。図１１（Ｂ）は、図１１（Ａ）の一部、即ち、○で囲んだ部分を拡大して示す。グルーピングした際の境界部分では隣接するアクチュエータを駆動する電圧が交互に切り替わる。この部分が画像形成すると目立つ結果となる。そこで、印字ドット径をノズル位置方向に移動平均し、この結果に基づいて補正データＤの作成を行う。このように処理することで図１１（Ｃ）に示すように曲線が平滑化され、画像のむらを目立たなくすることができる。
【００５４】
〔第２の実施の形態〕
第２の実施の形態では、第１の実施の形態と同一の部位には同一の符号を付してその詳細の説明は省略する。
【００５５】
図１２は、第２の実施の形態に係る印字制御部１２のインクジェットヘッド駆動回路の構成を示す図である。
【００５６】
第２の実施の形態では、印字制御部１２がＤ／Ａ変換器７１を更に備えている点で第１の実施の形態と異なっている。その他の部位の構成は、図２と同じであるためその詳細の説明は省略する。
【００５７】
Ｄ／Ａ変換器７１は、複数種類のアクチュエータ駆動電圧Ｖ１−Ｖｍを生成する。Ｄ／Ａ変換器７１が生成するアクチュエータ駆動電圧の種別は、補正データ記憶部２４から出力される。
【００５８】
図１３は、第２の実施の形態に係るインクジェットヘッド駆動回路の詳細の構成を示す。補正データ記憶部２４とＤ／Ａ変換器７１との間には、生成されるアクチュエータ駆動電圧の種類を指定するための３ｂｉｔの指定線が設けられている。
【００５９】
補正データ記憶部２４にはＤ／Ａ変換器７１への指定データＳが３ｂｉｔの情報で記憶されている。その３ｂｉｔの情報は補正データ記憶部２４より読み出されてＤ／Ａ変換器７１に供給される。指定データＳにしたがってＤ／Ａ変換器７１は、３ｂｉｔで指定される駆動電圧を発生させる。このＤ／Ａ変換器７１は、４種のアクチュエータ駆動電圧を発生させる。そして補正データＤで選択されたアクチュエータ駆動電圧群を選択し、選択したアクチュエータ駆動電圧群を選択回路２３に供給する。
【００６０】
なお、他の回路の動作は第１の実施の形態と同様であるため詳細の説明は省略する。
【００６１】
図１４は、第２の実施の形態の、補正データの作成方法を説明する図である。図１４（Ａ）は、インクジェットヘッド１１のノズル位置に対応した印字ドット径の測定結果である。この図は、インクジェットヘッド１１の全アクチュエータ２１を駆動させ、画像を形成してドット径を測定した一例である。なお、２台のヘッドについて測定した結果を、第１のヘッドについては破線で表し、第２のヘッドについては実線で表している。上述のように、ドット径実測結果の最大値と最小値を求めそれをグループ分割する。このときのグループ分割数は、図３で説明した補正データＤが２ｂｉｔなので、４分割する。
【００６２】
図１４（Ｂ）は、図４で説明した印字ドット径とアクチュエータ駆動電圧の関係を、図１４（Ａ）の横に並べて対応つけたものである。
【００６３】
印字ドット径が最大値になる部分のアクチュエータ駆動電圧ＶＨと印字ドット径が最小値になる部分のアクチュエータ駆動電圧ＶＬを求める。図１４（Ａ）に記載されているように、破線（第１のヘッド）と実線（第２のヘッド）が異なるためそれぞれのＶＬとＶＨは同じではない。
【００６４】
破線（第１のヘッド）について、印字ドット径が最大値になる部分のアクチュエータ駆動電圧ＶＨ１、印字ドット径が最小値になる部分のアクチュエータ駆動電圧ＶＬ１とする。実線（第２のヘッド）について、印字ドット径が最大値になる部分のアクチュエータ駆動電圧ＶＨ２、印字ドット径が最小値になる部分のアクチュエータ駆動電圧ＶＬ２とする。
【００６５】
破線（第１のヘッド）と実線（第２のヘッド）のそれぞれについて、電圧を４等分して４グループに分ける。破線（第１のヘッド）のグループの中心電圧を低いほうからＶ１１，Ｖ１２，Ｖ１３，Ｖ１４とする。実線（第２のヘッド）のグループの中心電圧を低いほうからＶ２１，Ｖ２２，Ｖ２３，Ｖ２４とする。
【００６６】
そして印字ドット径の測定結果に基づき、グループ化された電圧Ｖ１１−Ｖ１４、Ｖ２１−Ｖ２４の中からアクチュエータ駆動電圧を決定する。破線（第１のヘッド）で印字ドット径が大きかった部分はアクチュエータ駆動電圧Ｖ１１、印字ドット径が小さかった部分はアクチュエータ駆動電圧Ｖ１４にする。実線（第２のヘッド）で印字ドット径が大きかった部分はアクチュエータ駆動電圧Ｖ２１、印字ドット径が小さかった部分はアクチュエータ駆動電圧Ｖ２４にする。
【００６７】
図１４（Ｃ）はノズル位置とアクチュエータ駆動電圧の関係を示す。破線（第１のヘッド）と実線（第２のヘッド）で示されるアクチュエータ駆動電圧で、アクチュエータを駆動することになる。このときのそれぞれ異なったアクチュエータ駆動電圧Ｖ１１−Ｖ１４及びＶ２１−Ｖ２４はＤ／Ａ変換器７１にそれぞれ記憶される。補正を行う際は、このアクチュエータ駆動電圧に対応した指定データＳをＤ／Ａ変換器７１に設定し、Ｖ１１−Ｖ１４、Ｖ２１−Ｖ２４を生成する。なお、各アクチュエータの補正は、図５で説明した場合と同様に補正データ記憶部２４より読み出されてアクチュエータ駆動電圧にしたがって駆動される。
【００６８】
以上のようにＤ／Ａ変換器７１を持ちヘッドの特性に合わせてアクチュエータ駆動電圧を調整することが可能となるため、ヘッドごとにアクチュエータ駆動電圧が異なっても調整できる。
【００６９】
なお、 本説明では、アクチュエータ駆動電圧を分割する例で説明したが、印字ドット径を分割する方式でも良い。
【００７０】
〔第３の実施の形態〕
第３の実施の形態では、補正データＤの作成方法が第１の実施の形態と異なっている。従って、第１の実施の形態と同一の部位は同一の符号を付してその詳細の説明は省略する。
【００７１】
第１の実施の形態では、補正データＤは印字ドット径が最大値になる部分のアクチュエータ駆動電圧ＶＨと印字ドット径が最小値になる部分のアクチュエータ駆動電圧ＶＬとから決められていた。しかし、インクジェットヘッドのばらつきによっては補正精度が異なる。
【００７２】
図１５は、補正データＤの作成方法を説明する図である。
【００７３】
図１５（Ａ）は、インクジェットヘッド１１のノズル位置に対応した印字ドット径の測定結果である。この図は、インクジェットヘッド１１の全アクチュエータ２１を駆動させ、画像を形成してドット径を測定した一例である。
【００７４】
図１５（Ｂ）は、図４で説明した印字ドット径とアクチュエータ駆動電圧の関係を、図１５（Ａ）の横に並べて対応つけたものである。あらかじめアクチュエータ駆動電圧を等分割する。そして、各アクチュエータ２１のインク液滴量のばらつきに対応してアクチュエータ駆動電圧を選択する。図３で説明した補正データＤが２ｂｉｔなので、予めアクチュエータ駆動電圧を４以上に分割する。例えば、６つに分割し、分割されたそれぞれの基準電圧をＶ１ａ〜Ｖ６ａとする。このＶ１ａ〜Ｖ６ａの中からアクチュエータ駆動電圧Ｖ１−Ｖ４を選択する。
【００７５】
図１５（Ｃ）はノズル位置とアクチュエータ駆動電圧の関係を示したものである。アクチュエータ駆動電圧は、印字ドット径実測結果に応じて、あらかじめ分割されている電圧から選択される。この図から、Ｖ１はＶ２ａ、Ｖ２はＶ３ａ、Ｖ３はＶ４ａ、Ｖ４はＶ５ａが選択される。補正を行う際は、このアクチュエータ駆動電圧に対応した選択データＤをＤ／Ａ変換器７１に設定し、Ｖ１−Ｖ４（Ｖ２ａ一Ｖ５ａ）を生成する。
【００７６】
この結果、補正データＤはアクチュエータ駆動電圧がＶ１であれば”００”Ｂ、アクチュエータ駆動電圧がＶ２であれば”０１”Ｂ、アクチュエータ駆動電圧がＶ３であれば”１０”Ｂ、アクチュエータ駆動電圧がＶ４であれば”１１”Ｂのように補正データ記憶部２４に記憶される。そして、この補正データＤにしたがってアクチュエータが駆動される。
【００７７】
図１６は、吐出したインク液滴量のばらつきが小さい場合の補正データＤを示す。この場合では、アクチュエータ駆動電圧は一種類となり、補正しても改善はされない。したがってこの場合は補正を行わない。
【００７８】
なお、上述の説明では、アクチュエータ駆動電圧を分割する方式を説明したが、この形態に限定されず、印字ドット径を分割する方式でも良い。
【００７９】
〔第４の実施の形態〕
第４の実施の形態では、第一の実施の形態と同一の部位には同一の符号を付してその詳細の説明は省略する。
【００８０】
第１の実施の形態で示した方法で、補正データＤに従って各アクチュエータ駆動電圧を調整してインク液滴量を補正したとき、記録媒体１６の同一位置に連続して印刷がされると、その部分のアクチュエータが発熱しインク液適量が大きくなる。その結果補正したインク液適量に局部的なムラが生ずる。第４の実施の形態ではこのような発熱により発生した局部的なムラを補正する方法を説明する。
【００８１】
そこで局部的な発熱部分を検出し、当該部分に対応して補正データＤを書き換える。局部的な発熱部分を検出する方法として、たとえば画像形成する際に、連続してインクを吐出するように駆動されるアクチュエータの部分を検出すればよい。
【００８２】
図１７は、局部的な発熱を検出する方法を説明する図である。
【００８３】
印字制御部１２には、新たにラインメモリが設けられている。印刷データ２５は、駆動回路２２に入力されると共にラインメモリにも入力される。ラインメモリには、過去ｎライン分の印刷データ２５が格納される。ｎライン分の印刷データ２５について、各アクチュエータ位置に対応したｎ個のデータをＡＮＤ演算する。演算した結果を温度による影響を補正するための温度補正信号とする。この温度補正信号に基づき各アクチュエータの補正データＤを調整する。例えば、温度補正信号がＯＮとなったときは連続してｎライン印字を行っているため、補正データＤが１つ低電圧になるように調整する。
【００８４】
上述の説明では、画像データの連続する部分を検出し、その部分の補正電圧を調整したが、本発明は、この実施例に限定されない。図１０に示すように印刷装置に取り付けてあるＣＣＤカメラで撮像された画像から温度上昇によるインク液滴の増加を検出しても良い。
【００８５】
〔第５の実施の形態〕
第５の実施の形態では、第１の実施の形態と同一の部位には同一の符号を付してその詳細の説明は省略する。
【００８６】
第１の実施の形態で示したような方法で、補正データＤに従って各アクチュエータ駆動電圧を調整することでインク液滴量を補正したとき、補正されたアクチュエータ駆動電圧の切り替え部分では微小な濃度差が発生する。
【００８７】
図１８は、微小な濃度差の発生を説明する図である。図１８（Ａ）、図１８（Ｂ）、図１８（Ｃ）は図５と同じなので説明を省略する。
【００８８】
図１８（Ｄ）は、図１８（Ｃ）のアクチュエータ駆動電圧Ｖ１−Ｖ４を使用してインク液滴を飛翔させて画像形成した結果、印刷された印字ドット径を示している。図１８（Ａ）と比較すると、ヘッド全体については、ノズルのばらつきを小さく抑えることができる。しかし、電圧切り替え部分では、インク液滴補正が十分でなく、段差（濃度差）が生じている。図１９は図１８（Ｄ）の丸の部分を拡大して示す。
【００８９】
図１９は、アクチュエータ駆動電圧の切り替え部分に発生する微小な濃度差を解消する方法を説明する図である。
【００９０】
境界部分のアクチュエータが連続して同じ補正電圧で補正することが無いよう、即ち、境界部分が連続しないように、アクチュエータの境界位置を左右に移動させる。このように、補正データＤを１ライン印字するごとに切り替えて、アクチュエータ駆動電圧が切り替わる境界部分での連続性をなくすことで、濃度差が目立たなくなり補正精度を向上することができる。
【００９１】
なお、画像のエッジ部分においては、アクチュエータ駆動電圧の切り替えが原因ではなく、クロストークが発生することによりその端部が濃くなる現象が発生する。この場合であってもエッジ部分を左右に移動させることで、濃度差を目立たなくできる。
【００９２】
またこの方式によれば、たとえばマルチドロップ方式を使用した階調印字が可能なインクジェットヘッド１１から吐出されるインク液滴量の補正を同様に行うことができる。
【００９３】
〔第６の実施の形態〕
第６の実施の形態では、第１の実施の形態と同一の部位には同一の符号を付してその詳細の説明は省略する。
【００９４】
第６の実施の形態では、長尺のインクジェットヘッドの駆動方法について説明する。長尺のインクジェットヘッド全体に渡って第１の実施の形態で説明した方法で補正を行う場合、その吐出ばらつきの補正精度が低下する。これは、長尺のインクジェットヘッド１１では、その加工精度だけでなく、材料自身のばらつき変動も無視できなくなり、たとえば吐出されるインク液滴量の最大値と最小値のばらつきが、短いヘッドに比べて大きくなるためである。
【００９５】
図２０は、長尺のインクジェットヘッドを駆動する方法を説明する図である。
【００９６】
長尺のインクジェットヘッドの駆動範囲を複数に分割し、分割されたそれぞれの範囲内においてインク液滴量が一定になるように補正する。この場合、第２の実施の形態のＤ／Ａ変換器７１を持つ方法と組合わせても良く、第３の実施の形態の、駆動範囲をグルーピングする際、グルーピング数より広い範囲で調整できるようにする方法と組合わせても良い。長尺のインクジェットヘッドにこれらの方法を組合わせて用いることで高精度の補正が可能となる。なお、補正の詳細は既に、第２の実施の形態及び第３の実施の形態で説明しているため、再度の説明は省略する。
【００９７】
〔第７の実施の形態〕
第７の実施の形態では、第１の実施の形態と同一の部位には同一の符号を付してその詳細の説明は省略する。
【００９８】
第７の実施の形態では、インクジェットヘッド１１に補正データＤを記憶しておく。そして、補正データＤをインクジェットヘッド１１から読み出して補正データ記憶部２４に記憶する。
【００９９】
図２１は、第７の実施の形態に係る印字制御部１２のインクジェットヘッド駆動回路の構成を示す図である。
【０１００】
インクジェットヘッド１１は破線部分がコネクタとなっており、取り外しが可能である。インクジェットヘッド１１には補正データＤが書き込まれている。たとえばＰＲＯＭ(Programmable Read-Only Memory)を使用し、製造した時点で補正データが書き込まれる。補正データＤの作成は、第１の実施の形態で説明した方法を用いる。また、補正データ記憶部２４はＲＡＭ(Random Access Memory)で構成されている。
【０１０１】
補正データＤの読み出し動作について説明する。図２２は、読み出しタイミングを示す図である。電源投入時に補正データ読み出し信号が立ち上がり、読み出しモードとなる。次にクロックに同期してＰＲＯＭから補正データＤが読み出され、そのまま補正データ記憶部２４に書き込まれる。なお、補正データＤには上述の各実施の形態に対応して必要なデータが含まれる。例えば、第２の実施の形態のＤ／Ａ変換器７１を使用する場合は、指定データＳが補正データＤに含まれる。
【０１０２】
〔第８の実施の形態〕
第８の実施の形態では、駆動パルス幅によってインク液滴量を制御する点が第１の実施の形態と異なっている。従って、第８の実施の形態では、第１の実施の形態と同一の部位には同一の符号を付してその詳細の説明は省略する。
【０１０３】
図２３は、印字制御部１２のインクジェットヘッド駆動回路の構成を示す図である。
【０１０４】
インクジェットヘッド１１は、アクチュエータ２１を備えている。このアクチュエータ２１は、インクジェットヘッド１１のそれぞれのノズルに対応して設けられ、ノズル数Ｎと同じ個数Ｎである。このアクチュエータ２１を駆動することで、ノズルから吐出する液滴量が制御される。
【０１０５】
印字制御部１２には、駆動回路２２、選択回路２３、補正データ記憶部２４が設けられている。駆動回路２２は、インクジェットヘッド１１のアクチュエータ２１を駆動する。補正データ記憶部２４は、補正データＤを各アクチュエータ分記憶する。
【０１０６】
印字制御部１２の各部には、印字を制御するための種々の信号が入力される。駆動電圧２８及び駆動電圧パルス２９は、選択回路２３に入力される。印刷データ２５は、駆動回路２２に入力される。
【０１０７】
駆動電圧２８は、インクジェットヘッド１１のアクチュエータ２１を駆動するための電圧である。駆動電圧パルス２９は、インクジェットヘッド１１のアクチュエータ２１を駆動するためのｍ種類（Ｐ１−Ｐｍ）のパルス信号である。この駆動パルス幅をもつ駆動電圧２８でインクジェットヘッド１１のアクチュエータ２１を駆動する。印刷データ２５は、インクジェットヘッド１１のアクチュエータ２１を駆動させてインクを吐出させるためのデータである。
【０１０８】
補正データ記憶部２４に記憶されているインクジェットヘッド１１のそれぞれのアクチュエータ２１に対応した補正データＤが読み出されて、選択回路２３に供給される。選択回路２３ではアクチュエータ２１それぞれの補正データＤにしたがって、駆動パルス２９のＰ１−Ｐｍの内１つのパルス信号が選択される。選択されたパルス信号は、印刷パルス信号２７のタイミングでアクチュエータ２１に供給される。
【０１０９】
図２４は、インクジェットヘッド駆動回路の詳細の構成を示す。アクチュエータ２１，駆動回路２２、選択回路２３、補正データ記憶部２４はアクチュエータ数ｎ用意されている。図２４では１つのアクチュエータについての回路部分を示している。
【０１１０】
補正データ記憶部２４にはアクチュエータ２１の補正データＤが２ｂｉｔの情報で記憶されている。その２ｂｉｔの情報は補正データ記憶部２４より読み出されて選択回路２３に供給されて、デコーダに入る。補正データＤにしたがってデコーダから出力される４本の選択信号Ｓ１１−Ｓ１４の１つだけが”Ｈ”となる。
【０１１１】
アクチュエータ駆動パルス２９とデコーダから出力される４本の選択信号Ｓ１１−Ｓ１４とはＡＮＤ回路に入力している。そのため、アクチュエータ駆動パルス２９はこの中から1つのパルス幅のみ選択される。
【０１１２】
外部からシリアルに送信されてきた印刷データ２５は、駆動回路２２のシフトレジスタ（不図示）によって各アクチュエータ２１毎の印刷データに分解される。選択された駆動パルス２９と各アクチュエータ２１毎のデータに分解された印刷データ２６とは選択回路２３内のＡＮＤ回路を介してスイッチング素子と接続されている。このスイッチング素子は、選択回路２３の外部から供給される駆動電圧２６を選択するように接続されている。
【０１１３】
この結果、駆動電圧２８が補正データＤによりデコーダで選択された駆動パルスの幅で駆動回路２２に供給される。供給された電圧は直接アクチュエータ２１に供給されると同時に放電回路にも供給される。このようにして、本インクジェットヘッド駆動回路によれば、補正データＤに従って、選択的に駆動パルス幅を変更することができる。
【０１１４】
次に補正データＤの作成方法を説明する。
【０１１５】
補正データＤは、インクジェットヘッド１１のアクチュエータ２１を駆動させたときのインク吐出量に対応して求める。インクの吐出量を求める方法には、記録媒体１６に単独ドットで画像を形成したときの印字ドット径、記録媒体１６とインクジェットヘッド１１を相対的に走査させて連続ドットで画像を形成したときの画像の線幅、インクジェットヘッド１１から吐出されたインク液滴の撮像・画像処理による体積計算等を用いる方法がある。以下には、ドット径に従って補正量を求める方法を例として説明する。
【０１１６】
図２５は、印字ドット径とアクチュエータ駆動パルス幅の関係を示す。パルス幅が広くなるに従って吐出されるインク液滴量は大きくなり、結果として印字ドット径は大きくなる。
【０１１７】
図２６（Ａ）は、インクジェットヘッド１１のノズル位置に対応した印字ドット径の測定結果である。この図は、インクジェットヘッド１１の全アクチュエータ２１を駆動させ、画像を形成してドット径を測定した一例である。
【０１１８】
次に、ドット径実測結果の最大値と最小値を求めそれをグループに分割する。このときの分割グループ数は、図３で説明した補正データＤが２ｂｉｔであるので、４分割する。
【０１１９】
図２６（Ｂ）は、図２５で説明した印字ドット径とアクチュエータ駆動パルス幅の関係を、図２６（Ａ）の横に並べて対応つけたものである。印字ドット径が最大値になる部分のアクチュエータ駆動パルス幅ＰＨと印字ドット径が最小値になる部分のアクチュエータ駆動パルス幅ＰＬを求める。（ＰＨ−ＰＬ）の範囲を４等分して、４つのグループに分割する。それぞれのグループの中心パルス幅を低いほうからＰ１，Ｐ２，Ｐ３，Ｐ４と設定する。
【０１２０】
そして印字ドット径の測定結果に基づき、グループ化されたパルス幅Ｐ１−Ｐ４の中からアクチュエータ駆動パルス幅を決定する。印字ドット径が大きいグループに属する部分はアクチュエータ駆動パルス幅Ｐ１、印字ドット径が小さいグループに属する部分はアクチュエータ駆動パルス幅Ｐ４にする。図２６（Ｃ）はノズル位置とアクチュエータ駆動パルス幅の関係を示したものである。
【０１２１】
この結果、補正データＤはアクチュエータ駆動パルス幅がＰ１であれば”００”Ｂ、アクチュエータ駆動パルス幅がＰ２であれば”０１”Ｂ、アクチュエータ駆動パルス幅がＰ３であれば”１０”Ｂ、アクチュエータ駆動パルス幅がＰ４であれば”１１”Ｂのように補正データ記憶部２４に記憶され、これにしたがってアクチュエータ２１は駆動される。
【０１２２】
〔第９の実施の形態〕
第９の実施の形態では、第１の実施の形態と同一の部位には同一の符号を付してその詳細の説明は省略する。
【０１２３】
図２７は、印刷結果の画像をスキャナーで取り込み、そのドット径を測定する印刷装置を示す。印刷装置には、画像を読み込むための読取装置が設けられている。
【０１２４】
ユーザは、補正データＤを生成させるための所定のパターンを記録媒体１６に記録させる。そして、記録された記録媒体１６を、読取装置にセットし、スキャナーによって印刷されたパターンを読み込む操作を行う。読取装置で読み込まれた画像は、画像処理部に供給される。画像処理部はシェーディング補正などの補正を行い、画像を２値化する。そして、この画像処理結果に基づいて、画像処理部は各アクチュエータから吐出されるインク液滴によって形成されるドット径を測定する。その測定結果のドット径は印字制御部１２に供給される。印字制御部１２は、補正データＤを作成してアクチュエータ駆動電圧を調整する。
【０１２５】
なお、印刷する所定のパターンは、ドット径を表すものに限られず、直線の線幅を表すものであっても良く、これらを組合わせたものであっても良い。
【０１２６】
以上、本発明の各実施の形態について説明したが、インクジェットヘッドの形式は、ピエゾ方式、サーマル方式、静電方式の何れであっても良い。
【０１２７】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【０１２８】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【０１２９】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【０１３０】
【図１】ラインインクジェットヘッドを備えた印刷装置を示す図。
【図２】インクジェットヘッド駆動回路の構成を示す図。
【図３】インクジェットヘッド駆動回路の詳細の構成を示す図。
【図４】印字ドット径とアクチュエータ駆動電圧の関係を示す図。
【図５】ヘッドのノズル位置を示す図。
【図６】補正データの作成方法を説明する図。
【図７】なだらかにインク液滴量がばらつく場合の補正データを示す図。
【図８】急激にインク液滴量がばらつく場合の補正データを示す図。
【図９】補正データの作成方法を説明する図。
【図１０】印刷結果をＣＣＤカメラで撮影して、そのドット径を測定する印刷装置を示す図。
【図１１】補正データの作成方法を説明する図。
【図１２】印字制御部のインクジェットヘッド駆動回路の構成を示す図。
【図１３】インクジェットヘッド駆動回路の詳細の構成を示す図。
【図１４】補正データの作成方法を説明する図。
【図１５】補正データの作成方法を説明する図。
【図１６】吐出したインク液滴量のばらつきが小さい場合の補正データＤを示す図。
【図１７】局部的な発熱を検出する方法を説明する図。
【図１８】微小な濃度差の発生を説明する図。
【図１９】アクチュエータ駆動電圧の切り替え部分に発生する微小な濃度差を解消する方法を説明する図。
【図２０】長尺のインクジェットヘッドを駆動する方法を説明する図。
【図２１】インクジェットヘッド駆動回路の構成を示す図。
【図２２】読み出しタイミングを示す図
【図２３】インクジェットヘッド駆動回路の構成を示す図。
【図２４】インクジェットヘッド駆動回路の詳細の構成を示す図。
【図２５】印字ドット径とアクチュエータ駆動パルス幅の関係を示す図。
【図２６】補正データの作成方法を説明する図。
【図２７】印刷結果の画像をスキャナーで取り込み、そのドット径を測定する印刷装置を示す図。
【符号の説明】
【０１３１】
１１…インクジェットヘッド、１２…印字制御部、２１…アクチュエータ、２２…駆動回路、２３…選択回路、２４…補正データ記憶部、２５…印刷データ、２６…駆動電圧、２７…印刷パルス信号、２８…駆動電圧、２９…駆動パルス。
【図１】
2008162261.tif 000003
【図２】
2008162261.tif 000004
【図３】
2008162261.tif 000005
【図４】
2008162261.tif 000006
【図５】
2008162261.tif 000007
【図６】
2008162261.tif 000008
【図７】
2008162261.tif 000009
【図８】
2008162261.tif 000010
【図９】
2008162261.tif 000011
【図１０】
2008162261.tif 000012
【図１１】
2008162261.tif 000013
【図１２】
2008162261.tif 000014
【図１３】
2008162261.tif 000015
【図１４】
2008162261.tif 000016
【図１５】
2008162261.tif 000017
【図１６】
2008162261.tif 000018
【図１７】
2008162261.tif 000019
【図１８】
2008162261.tif 000020
【図１９】
2008162261.tif 000021
【図２０】
2008162261.tif 000022
【図２１】
2008162261.tif 000023
【図２２】
2008162261.tif 000024
【図２３】
2008162261.tif 000025
【図２４】
2008162261.tif 000026
【図２５】
2008162261.tif 000027
【図２６】
2008162261.tif 000028
【図２７】
2008162261.tif 000029